【事件の表示】
　特願２００１−３７０６２１号「歯磨き粉が補充できる歯ブラシ」拒絶査定不服審判事件〔平成１５年　６月１７日出願公開、特開２００３−１６９７１６号〕について、次のとおり審決する。
【結　論】
　本件審判の請求は、成り立たない。
【理　由】
１．手続の経緯・本願発明 
　本願は、平成１３年１２月４日の出願であって、その請求項１に係る発明（以下、「本願発明」という。）は、平成１９年１２月３日付けの手続補正書で補正された明細書及び図面の記載からみて、特許請求の範囲の請求項１に記載された事項により特定される、以下のとおりのものである。 
「歯磨き粉が補充できる歯ブラシであって、内部に歯磨き粉が充填できる空間が設けられている握り部分と、前記握り部分と一体的に設けられると共に先端にブラシ部分が設けられており、前記空間と連通した空洞によって、前記空間内部の歯磨き粉がブラシ部分へ移動可能となっている柄部分と、前記握り部分の下端部に接合され、前記空洞を閉じることができる内部部品と、前記内部部品に設けられ、前記内部部品と前記握り部分が接合された状態で、前記握り部分内部の空洞に沿って延びた一本のボルトと、前記ボルトに噛み合って、前記握り部分内部の空洞に沿って移動することにより、内部の歯磨き粉を、前記ブラシへ供給することの可能な押し出しとからなり、前記内部部品の底部には円錐型の開口が設けられ、この開口から前記内部部品の内部と前記ボルトの内部を貫いて、前記握り部分の空間に抜ける通気孔が設けられ、この通気孔によって、歯磨き粉を前記空間へ充填できる歯ブラシ。」
　 
２．引用刊行物 
　これに対して、当審における、平成１９年６月２８日付けで通知した拒絶の理由に引用された、本願出願前に頒布された刊行物である実願昭４９−１５２０１７号（実開昭５１−７６９６３号）のマイクロフィルム（以下、「引用刊行物」という。）には、図面とともに次の事項が記載されている。 
(ア)「先端に刷毛部１を植設したブラシ本体２に筒状把手３を設け、該筒状把手３の開口端に回動ノブ４を嵌合し、該回動ノブ４に固体したパイプ状の螺軸５を筒状把手３内に挿入し、この螺軸５には表面に多数の小孔６を穿設すると共にこれに筒状把手３内に回動することなく進退自在に嵌合した練剤の押出板７を螺合させ、螺軸５内には練剤補給用のプランジャ８を抜差自在に嵌入し、その後端を回動ノブ４の透孔９より外方へ突出させ、且つ透孔９の周辺には軟質嵌合材１０を内装し、上記ブラシ本体２内には前記刷毛部１に複数の練剤の注出孔１１を経て連らなる練剤の供給路１２を設け、該供給路１２には摺動自在に練剤供給用のプランジャ１３を挿入すると共に供給路１２の途中に前記筒状把手３内に連らなる練剤の補給路１４を合流させた練剤用ブラシ。」（実用新案登録請求の範囲） 
(イ)「本考案は本出願人が昭和４９年１０月１８日提出の実用新案登録願「練剤用ブラシ」の改良に関するものである。」（明細書第２頁第１行〜第２頁第３行）
(ウ)「以下本考案の練剤用ブラシを図面に基いて説明すると、先端に刷毛部１を植設したブラシ本体２に筒状把手３を設け、該筒状把手３の開口端に回動ノブ４を回動自在に嵌合し、該回動ノブ４に固定したパイプ状の螺軸５を筒状把手３内に挿入し、この螺軸５には表面に多数の小孔６を穿設すると共に、これに筒状把手３内に回動することなく、進退自在に嵌合した練剤の押出板７を螺合させ、前記螺軸１０内には練剤補給用のプランジャ８を抜差自在に嵌入し、その後端を前記回動ノブ４の透孔９より外方へ突出させると共に、透孔９の周辺には練剤チューブの嵌合を容易にする軟質嵌合材１０を内装する。
  また、上記ブラシ本体２内には前記刷毛部１に複数個の練剤の注出孔１１を経て連なる練剤の供給路１２を設け、該供給路１２には摺動自在に練剤供給用の補助プランジャ１３を挿入すると共に、この供給路１２の途中には前記筒状把手内に連なる練剤の補給路１４を合流させたものである。」（明細書第３頁第６行〜第４頁第４行）
(エ)「このブラシの使用方法を説明すると、まず使用に先立つて練剤を筒状把手３内に充填するため押出板７を最後端におき、プランジャ８を抜いて螺軸５のパイプ内へ練剤を注入した後練剤補給用のプランジャ８を挿入して押圧すれば、練剤は螺軸５の先端及び表面の小孔６をとおつて、筒状把手３内に押出されて充填されるが、このとき供給用の補助プランジャ１３は前進位置にあつて、補給路１４の供給路１２への出口を閉塞しているので、練剤が使用に先立つて供給路１２へ注出されることはない。」（明細書第４頁第７行〜第４頁第１７行）
(オ)「次にこのブラシを使用するには供給用の補助プランジャ１３を後退させて補給路１４と供給路１２とを連通させてから、回動ノブ４をまわして押出板７を前進させると、筒状把手３中に充填されている練剤は補給路１４をとおつて供給路１２中に入るので、ここで補助プランジャ１３を押圧すれば練剤は１回当り使用する量だけ注入孔１１を経て刷毛部１に供給される。」（明細書第４頁第１８行〜第５頁第５行）
(カ)「本考案のブラシは以上説明したような構成作用を有するもので、刷毛部１と筒状把手３とを一体とし、しかも筒状把手３は先行考案の如くチューブ自体を装填するかわりに練剤を直接注入し、且つその透孔９の周辺には軟質の嵌合材１５を装着したのでチューブの形状、サイズ或いはチューブの口金等に関係なく使用できる汎用性が生じ、また進退する押出板７を螺着した螺軸５を回動ノブ４に固定したので、該回動ノブ４を回動するだけで容易に練剤を補給路１４をとおして供給路１２内に注入でき、・・・ 更にチューブを常時装填していないので、ブラシ全体が小型且つ軽量となり、・・・ 効果を併せ有するものである。」（明細書第５頁第６行〜第６頁第２行）
(キ)第一図には、筒状把手３内部に練剤が充填できる空間が設けられている点、該空間と補給路１４と供給路１２とが連通している点及び筒状把手３の下端部に回動ノブ４が接合され該空間を閉じている点が図示されている。また、第三図には、回動ノブ４と筒状把手３が接合された状態で筒状把手３内部の空間に沿って延びた一本の螺軸５が設けられている点及び練剤の補給時に回動ノブ４の底部の透孔９から筒状把手３のパイプ内をとおりさらに小孔６をとおって筒状把手３内部の空間へ練剤を充填できる点が図示されている。
　したがって、引用刊行物には、 
「練剤が補給できる練剤用ブラシであって、内部に練剤が充填できる空間が設けられている筒状把手３と、前記筒状把手３と一体に設けられ先端に刷毛部１を植設しており、前記空間と連通した補給路１４及び供給路１２とによって、前記空間内部の練剤が刷毛部１に供給可能なブラシ本体２と、前記筒状把手３の下端部に接合され、前記空間を閉じている回動ノブ４と、前記回動ノブ４に固定し、前記回動ノブ４と前記筒状把手３が接合された状態で前記筒状把手３内部の空間に沿って延びた一本の螺軸５と、前記螺軸５に螺合させ前記筒状把手３内に回動することなく進退自在に嵌合した練剤の押出板７とからなり、前記回動ノブ４の底部には透孔９が設けられており、前記透孔９の周辺には軟質嵌合材１０を内装しており、前記螺軸５には表面に多数の小孔６を穿設し、前記回動ノブ４の底部の透孔９から前記筒状把手３のパイプ内をとおりさらに小孔６をとおって前記筒状把手３内部の空間へ練剤を充填できる練剤用ブラシ。」の発明（以下、「引用発明」という。）が記載されているものと認められる。
　 
３．対比及び判断 
　そこで、本願発明と引用発明とを対比すると、各文言の意味、機能又は作用からみて、後者における「練剤用ブラシ」は前者における「歯ブラシ」に相当し、以下同様に、「練剤」は「歯磨き粉」に、「筒状把手３」は「握り部分」に、「刷毛部１」は「ブラシ部分」に、「ブラシ本体２」は「柄部分」に、「回動ノブ４」は「内部部品」に、「螺軸５」は「ボルト」に、「押出板７」は「押し出し」に、「筒状把手３のパイプ内」及び「小孔６」は「通気孔」に、「空間」は「空間」又は「空洞」に、「補給路１４」及び「供給路１２」は「空洞」に、「透孔９」は「開口」に、「練剤が補給できる」は「歯磨き粉が補充できる」に、「前記筒状把手３と一体に設けられ先端に刷毛部１を植設しており」は「前記握り部分と一体的に設けられると共に先端にブラシ部分が設けられており」に、「前記回動ノブ４に固定し」は「前記内部部品に設けられ」に、及び「前記螺軸５には表面に多数の小孔６を穿設し、前記回動ノブ４の底部の透孔９から前記筒状把手３のパイプ内をとおりさらに小孔６をとおって前記筒状把手３内部の空間へ練剤を充填できる」は「この開口から前記内部部品の内部と前記ボルトの内部を貫いて、前記握り部分の空間に抜ける通気孔が設けられ、この通気孔によって、歯磨き粉を前記空間へ充填できる」に、それぞれ相当すると認められる。 
　また、後者の「前記回動ノブ４の底部には透孔９が設けられており、前記透孔９の周辺には軟質嵌合材１０を内装しており」と前者の「前記内部部品の底部には円錐型の開口が設けられ」とは、「前記内部部品の底部には開口が設けられ」点で共通するものである。 
　したがって、両者は、 
「歯磨き粉が補充できる歯ブラシであって、内部に歯磨き粉が充填できる空間が設けられている握り部分と、前記握り部分と一体的に設けられると共に先端にブラシ部分が設けられており、前記空間と連通した空洞によって、前記空間内部の歯磨き粉がブラシ部分へ移動可能となっている柄部分と、前記握り部分の下端部に接合され、前記空洞を閉じることができる内部部品と、前記内部部品に設けられ、前記内部部品と前記握り部分が接合された状態で、前記握り部分内部の空洞に沿って延びた一本のボルトと、前記ボルトに噛み合って、前記握り部分内部の空洞に沿って移動することにより、内部の歯磨き粉を、前記ブラシへ供給することの可能な押し出しとからなり、前記内部部品の底部には開口が設けられ、この開口から前記内部部品の内部と前記ボルトの内部を貫いて、前記握り部分の空間に抜ける通気孔が設けられ、この通気孔によって、歯磨き粉を前記空間へ充填できる歯ブラシ。」 
の点で一致し、以下の点で相違する。 
　相違点：本願発明においては、内部部品の底部には円錐型の開口が設けられているのに対して、引用発明においては、内部部品（回動ノブ４）の開口（透孔９）が円錐型に形成されているかどうか明確でない点。 
　
　そこで、上記相違点について検討する。 
　引用発明においても、第三図に示されるように回動ノブ４の開口（透孔９）の終端は広がっており、それに続く軟質嵌合材の開口をその広がりを延長して形成すれば円錐型の開口となることは自明であり、また、開口の形態をどうするかは、対象とするチューブ容器の口金等の形態を考慮して当業者が適宜決定し得る事項にすぎないから、引用発明の開口に代えて上記相違点に係る本願発明の発明特定事項を採用することは、当業者であれば容易に想到し得ることである。 
　また、本願発明の効果は、引用発明から当業者が予測し得る範囲内のものというべきであって，格別のものということはできない。 
　 
４．むすび  
　したがって、本願発明は、引用発明に基いて当業者が容易に発明をすることができたものであるので、特許法第２９条第２項の規定により特許を受けることができない。 
　よって、結論のとおり審決する。